(57)【要約】【課題】表面層と緩衝層とを有する防音床材に使用しても床鳴りが生じず、施工作業の生産性低下、作業結果のバラツキの発生、施工後の床材等の変形による美観や安全上のトラブルが生じず、損傷した場合には交換可能な床見切り材及びこれを使用する床構造を提供する。【解決手段】床見切り材１は、かぶせ部材１１と台座１２とを備え、かぶせ部材１１は、防音床材３の端部を被覆するかぶせ部本体１１ａと、かぶせ部本体１１ａの下面側に台座１２と係止する第１の係止部１１ｂとを有し、台座１２は、防音床材３の緩衝層３ｂと同じ厚さの平板部１２ａが設けられた台座本体１２ｂと、平板部１２ａの上面側に設けられ、第１の係止部１１ｂと係止する第２の係止部１２ｃとを有する。また、防音床材３の緩衝層３ｂが除去された切欠部内には平板部１２ｂが入り込み、その端面と床見切り材１との間には隙間が形成されている。【選択図】図２
2006104800.tif 000002
【特許請求の範囲】
【請求項１】
表面層と、敷設面への敷設時に敷設面の凹凸形状に沿うように変形する緩衝層とを少な
くとも有する防音床材が敷設された床面の床見切り材であって、
床見切り材敷設部両側の防音床材の端部に被さるように配置されるかぶせ部本体と、こ
のかぶせ部本体の下面側に設けられた第１の係止部とを有するかぶせ部材、および
前記かぶせ部本体と対面するように配置されるとともに、前記緩衝層と略同じ厚さの平
板部が設けられ、敷設面に支持される台座本体と、台座本体の上面側に設けられ、前記第
１の係止部との係止によって前記かぶせ部材の上方への離脱を防止する第２の係止部とを
有する台座を備えることを特徴とする床見切り材。
【請求項２】
かぶせ部材又は台座は、第１の係止部又は第２の係止部が、他方の係止部に対して離接
自在に遊嵌される嵌合凹部を備えている請求項１に記載の床見切り材。
【請求項３】
表面層と、敷設面への敷設時に敷設面の凹凸形状に沿うように変形する緩衝層とを少な
くとも有する防音床材が敷設されるとともに、床見切り部に沿って床見切り材が配設され
ている床構造において、
請求項１又は請求項２に記載の床見切り材の台座が、敷設面の床見切り材配設部に敷設
されるとともに、床見切り材側の端部の緩衝層を除去することによって敷設面側に切欠部
が形成され、床見切り材に沿って敷設される防音床材が、その切欠部内に台座の平板部が
入り込むように敷設面に敷設された状態で、前記床見切り材のかぶせ部材がかぶせ部材に
台座から離脱する方向に力が加わると、第１の係止部と第２の係止部との係合により離脱
が防止されるように台座に装着されていることを特徴とする床構造。
【請求項４】
床見切り材に沿って敷設される防音床材が、その端面と床見切り材との間に隙間が形成
された状態で敷設されている請求項３に記載の床構造。
【請求項５】
防音床材が、表面層と緩衝層との間に合成樹脂発泡体からなる防音層を備えている請求
項３又は請求項４に記載の床構造。
【請求項６】
床見切り材を挟んで異なる種類の防音床材が敷設されている請求項３〜請求項５のいず
れかに記載の床構造。
【発明の詳細な説明】
【技術分野】
【０００１】
この発明は、床見切り材及びこの床見切り材を利用する床構造に関し、特に防音床材か
ら構成された防音床に適した床見切り材及び床構造に関する。
【背景技術】
【０００２】
床見切り材は、床材同士の隙間を隠したり、その隙間内に塵埃が入り込んだり、床材間
で段差が生ずることを防止するため、一般的に部屋の開口部などに設けられる。図９は、
従来からある部屋の開口部付近の床断面図である。この図に示すように、床見切り材１０
１は、敷設面２上に接着剤などによって貼り付けられた防音床材３が、例えば、廊下と部
屋の間で隙間を生じないように、ドア４などの下に設けられている。なお、床見切り材１
０１は、一般的に木材や合成樹脂等の硬質な部材から作られており、敷設面２には接着剤
や釘によって取り付けられている。
【０００３】
さて、防音床材３は、木質材等の表面層３ａと、敷設面２への敷設時に敷設面２の凹凸
形状に沿うように変形し、上から力が加わると変形して歩行音が生じるのを防ぐ軟質の緩
衝層（不陸層）３ｂから構成されている。そのため、床見切り材１０１付近を人が歩くと
、緩衝層３ｂが縮んで防音床材３が沈み込み、復元してきた防音床材３の端部と床見切り
材１との端部が互いに擦れ合い、床鳴りが生じるという欠点があった。
【０００４】
また、床見切り材１０１と防音床材３との間に隙間を生じさせないためには、防音床材
３を正確な長さで切断しなければならないが、作業者によっては正確な長さで切断するこ
とが困難であり、施工作業の生産性が低下したり、施工結果にバラツキが生じたりすると
いう欠点もあった。また、仮に正確な長さで切断できたとしても、空気中の湿度変化によ
って防音床材３の長さが伸縮して、隙間が生じたり防音床材３が変形したりするので、美
観上、安全上のトラブルが生じていた。
【０００５】
さらに、このような床見切り材１は、部屋の開口部に使用するため、施工中や使用中に
その表面が傷つくことが多い。それにもかかわらず、床見切り材１０１が敷設面２に接着
剤や釘によって取り付けられているため、その交換は困難であり、仮に交換する場合には
防音床材３を傷つけ、反対に、防音床材３を交換する場合には床見切り材１０１を傷つけ
てしまうという欠点があった。
【０００６】
このような欠点を解消するため、例えば、図１０に示すように、防音床材３の緩衝層３
ｂの床見切り材１と接する部分を除去し、ここに緩衝層３ｂと同じ厚さの張り出し片５を
設けた床見切り材１０２も開発されている（特許文献１参照。）。これにより、床見切り
材１０２付近を人が歩いても防音床材３の緩衝層３ｂが沈み込むことがないため、床鳴り
は生じ難くなった。
【０００７】
しかし、上記の特許文献１に記載の発明には、次のような問題点があった。文献１に記
載の発明には、防音床材３の緩衝層３ｂの床見切り材１０２と重なる部分を予め除去して
、張り出し片５を貼り付けなければならならず、これには施工手間がかかるという問題点
があった。また、作業者による施工結果のバラツキや環境変化による防音床材３の変形、
床見切り材１が損傷しても交換できないことについては何ら解決していなかった。
【特許文献１】特開平１０−３０６５７１号公報
【発明の開示】
【発明が解決しようとする課題】
【０００８】
そこで、この発明は、表面層と緩衝層とを少なくとも有する防音床材に使用しても床鳴
りが生じないとともに、施工作業の生産性低下や作業結果のバラツキの発生及び施工後の
床材等の変形による美観や安全上のトラブルが生じず、損傷した場合には交換可能な床見
切り材及びこの床見切り材を使用する床構造を提供することを課題とする。
【課題を解決するための手段】
【０００９】
この発明にかかる床見切り材は、表面層と、敷設面への敷設時に敷設面の凹凸形状に沿
うように変形する緩衝層とを少なくとも有する防音床材が敷設された床面の床見切り材で
あって、床見切り材敷設部両側の防音床材の端部に被さるように配置されるかぶせ部本体
と、このかぶせ部本体の下面側に設けられた第１の係止部とを有するかぶせ部材、および
かぶせ部本体と対面するように配置されるとともに、緩衝層と略同じ厚さの平板部が設
けられ、敷設面に支持される台座本体と、台座本体の上面側に設けられ、第１の係止部と
の係止によってかぶせ部材の上方への離脱を防止する第２の係止部とを有する台座を備え
ることを特徴とする。
【００１０】
また、この発明にかかる床構造は、表面層と、敷設面への敷設時に敷設面の凹凸形状に
沿うように変形する緩衝層とを少なくとも有する防音床材が敷設されるとともに、床見切
り部に沿って床見切り材が配設されている床構造において、この発明にかかる床見切り材
の台座が、敷設面の床見切り材配設部に敷設されるとともに、床見切り材側の端部の緩衝
層を除去することによって敷設面側に切欠部が形成され、床見切り材に沿って敷設される
防音床材が、その切欠部内に台座の平板部が入り込むように敷設面に敷設された状態で、
床見切り材のかぶせ部材がかぶせ部材に台座から離脱する方向に力が加わると、第１の係
止部と第２の係止部との係合により離脱が防止されるように台座に装着されていることを
特徴とする。
【発明の効果】
【００１１】
この発明の床見切り材及び床構造によって、床鳴りが生じず、施工後の環境変化にも強
い防音床を高い効率で施工することができるようになり、もし、床見切り材が傷ついた場
合でもこれを交換できるようになった。
【発明を実施するための最良の形態】
【００１２】
図１は、この発明にかかる床見切り材１の幅方向断面図であり、この図に示すように、
床見切り材１は、かぶせ部材１１と台座１２とを備えている。また、図２はこの発明にか
かる床構造の床見切り材１付近の幅方向断面図であり、この床構造においては、床見切り
板１が防音床材３の端部を挟み込んでおり、床見切り材１及び防音床材３は接着剤により
敷設面２に接着されている。なお、防音床材３は、一般的なものであって、合板製フロー
リング(裏面に溝を切ったものが多い)などの表面層３ａに、不織布や合成樹脂発泡体から
なる緩衝層３ｂを接着したものである。
【００１３】
かぶせ部材１１は、防音床材３の端部を被覆するかぶせ部本体１１ａと、その下面側一
体的に設けられ、台座１２と係止する第１の係止部１１ｂとを有している。かぶせ部材１
１は、プラスチック、木材、金属等の硬質素材から製造するが、なかでも、加工が易しく
安価なことから、プラスチック、特に塩化ビニル樹脂などの硬質プラスチックを押し出し
成形して製造したものが好ましい。
【００１４】
かぶせ部本体１１ａは、断面が略長方形の平板状のものであり、その表面は塗装されて
いてもよく、印刷シートを貼ってもよいが、単に着色していてもよい。また、かぶせ部本
体１１ａの厚さは、１〜５ｍｍが好ましく、２〜３ｍｍがさらに好ましい。かぶせ部本体
１１ａの厚さが、この範囲よりも薄ければ強度が不足し、この範囲よりも厚ければ歩行時
に躓く可能性が生じる。さらに、かぶせ部本体１１ａの幅は、３０〜５０ｍｍが好ましい
。かぶせ部本体１１ａの幅が、この範囲よりも狭いと、床材の膨張による影響を緩和する
ために必要な隙間を設けることができず、この範囲よりも広いと、床材としての外観に違
和感が生じてしまう。
【００１５】
第１の係止部１１ｂは、かぶせ部本体１１ａの下面側にあって、その断面が略鉤形状の
ものであり、かぶせ部本体１１ａと第１の係止部１１ｂとの間は断面棒状の柱によって接
続している。なお、第１の係止部１１ｂの長さや幅は後述する第２の係止部１２ａの嵌合
凹部に収納できればよい。
【００１６】
台座１２は、防音床材３の緩衝層３ｂと略同じ厚さの平板部１２ａが設けられ、敷設面
に支持される台座本体１２ｂと、台座本体１２ｂの上面側に設けられ、第１の係止部１１
ｂとの係止によって、かぶせ部材１１の上方への離脱を防止する第２の係止部１２ｃとを
有する。台座１２は、かぶせ部材１１と同一の材料から製造してもよいが、軟質な材料か
ら製造するほうが敷設面２の凸凹や湾曲に追従できるため好ましい。そして、このような
材料のなかでも、加工が易しく安価なことから、プラスチック、なかでも軟質塩化ビニル
、低密度ポリエチレン、エラストマー、ゴムを押し出し成形して製造したものが好ましい
。
【００１７】
平板部１２ａは、断面が略長方形の平板状のものであり、その厚さは、２〜６ｍｍ程度
、好ましくは３〜５ｍｍ程度であり、防音床材３の緩衝層３ｂとほぼ同じ厚さであるのが
好ましい。また、平板部１２ａの幅は２０〜５０ｍｍが好ましい。平板部１２ａの幅が小
さすぎると、防音床材３の膨張を緩和しきれないことがあり、大きすぎると緩衝層を切除
する部分が大きくなるので、防音床材の防音性能に悪影響が出る。また、台座本体１２ｂ
の厚さは平板部１２ａの厚さと略同一でよく、その幅は後述する嵌合凹部の幅と同一であ
る。
【００１８】
第２の係止部１２ｃは、台座本体１２ｂの上面側に設けられた断面が略平板形状のもの
であり、第２の係止部１２ｃと台座本体１２ｂとは、第１の係止部１１ｂを離接自在に遊
嵌する嵌合凹部によって接続されている。なお、第２の係止部１２ｃと第１の係止部１１
ａとが離接自在に遊嵌しているため、厚さの異なる防音床材に対して同一の床見切り材を
使用できる。
【００１９】
第２の係止部１２ｃの厚さ及び幅方向の長さは、０．５〜２ｍｍ程度である。また、嵌
合凹部の高さ、すなわち、防音床材３の表面層３ａを挟み込む部分の高さは６〜２０ｍｍ
であり、そのなかでも、一般的な防音床材の厚さと同じ１２〜１８ｍｍが好ましい。なお
、防音床材３を挟み込む部分の高さが、防音床材３の表面層３ａの厚さより０．５ｍｍ程
度低ければ、表面層３ａがしっかりとはめ込まれ、仕上がり状態がよくなる。また、嵌合
凹部の幅は、床見切り材１と防音床材３との接合面を隠蔽するため、かぶせ部本体１１ａ
の幅より小さくなければならず、１０〜３０ｍｍ程度である。
【００２０】
つぎに、図２に基づいて、この発明にかかる床構造を施工する手順について説明する。
まず、施工者は、敷設面２の床見切り部に台座１２をコンクリート敷設面２にウレタン系
接着剤や変性シリコン系接着剤接着剤で固定する。ついで、施工者は、防音床材３の表面
層３ａと第２の係止部１２ａとの間に、施工部の長さ比例させて、２〜１０ｍｍ程度の隙
間が開き、かつ、防音床材３の緩衝層３ｂと台座１２の平板部１２ｂとが重ならないよう
に、緩衝層３ｂの床見切り材１側の端部を除去し、防音床材３を前述の接着剤によりコン
クリート下地２に接着する。最後に、かぶせ部材１１を台座１２の上から装着する。
【００２１】
このように、この発明にかかる床構造の床見切り材１付近では、人の重さにより収縮す
る緩衝層３ｂの替わりに台座１２の平板部１２ｂが存在する。そのため、床見切り材１付
近の防音床材３の上を人が歩いても、床鳴りが生じることはない。そして、この平板部１
２ａは台座１２の一部であり、床見切り材１の一部を構成している。そのため、施工する
際に張り出し片５を貼り付ける手間が省ける。
【００２２】
また、防音床材３の先端は、その上面が床見切り材１のかぶせ部材１１によって覆われ
ており、防音床材３の端面と床見切り材１との間に隙間が開いているため、作業者の能力
により施工される防音床材３の長さが多少違っていても、外側からそれを見ることはでき
ず、環境の変化により防音床材３の長さが変動しても、その変動は隙間によって吸収され
る。
【００２３】
さらに、床見切り材１はかぶせ部材１１と台座１２とを分離できるので、かぶせ部材１１
が傷づいた際にはこれを交換することもできる。
【００２４】
なお、この発明の床見切り材及び床構造は、上記の実施の形態に限定されるのではなく
、特許請求の範囲に記載した技術的範囲内で様々な変更を加えることができる。
【００２５】
例えば、防音床材３の替わりに、図３に示すように防音層３ｃを備えた防音床材３を使
用してもよい。なお、この場合でも、緩衝層３ｂだけを除去して台座１２の平板部１２ｂ
に重ね、かぶせ部材１１を台座１２に装着すれば、床構造を施工できる。
【００２６】
また、床見切り材１は、接着剤以外にも、釘やビスなどによって固定してもよく、これ
らが貫通する孔を台座１２に設けてもよい。また、敷設面２として、コンクリートスラブ
以外にも、パーティクルボード、合板など、従来から使用されているものであれば、特に
制限なく利用することができる。
【００２７】
また、上記実施の形態では、第１の係止部１１ｂが断面略鉤形状のものであり、第２の
係止部１２ｃが第１の係止部１１ｂを離接自在に遊嵌する嵌合凹部を備えていたが、これ
とは反対に、図４に示す床見切り材６ように、かぶせ部材６１の第１の係止部６１ｂが嵌
合凹部を備え、台座６２の第２の係止部６２ｃが断面略鉤形状のものであってもよい。
【００２８】
さらに、かぶせ部本体１１ａの形状は、図１に示すもののほか、防音床材の厚さが床見
切り材１の両側で異なる場合には、図５（ａ）に示すように、一方に勾配を設けたもので
あってもよい。なお、図５（ｂ）、（ｃ）のように両側に勾配を設けることによって、躓
く可能性を減らすことができる。また、第１の係止部１１ｂの断面形状も図１に示すもの
のほか、図５（ｄ）ように中央に溝を設けた形状であってもよい。
【実施例】
【００２９】
以下に実施例を挙げてこの発明についてより詳しく説明するが、これによってこの発明
の特許請求の範囲を如何なる意味でも限縮的に解釈しないものとする。
【００３０】
（実施例１）
まず、図６に示す断面形状の台座を、軟質塩化ビニル樹脂を材料とする押出し成形によ
り製造した。また、図７の断面形状のかぶせ部材を、硬質塩化ビニル樹脂を材料とする押
出し成形により製造した。なお、図６及び図７中に記載の長さの単位はｍｍである。
【００３１】
つぎに、幅１ｍ、長さ１０ｍのコンクリート下地の全周４辺に、高さ１００ｍｍの立ち
面７を設けた敷設面２を作り、この敷設面２の中央部に上記台座の長手方向と敷設面２の
長手方向とが垂直になるように、上記台座をウレタン系接着剤で接着した。
【００３２】
そして、上記台座の長手方向に沿って両側に防音床材３を同じ接着剤で接着した。ここ
で使用した防音床材３は、厚さ１２ｍｍの合板（表面層）の裏側に幅１ｍｍの溝を１０ｍ
ｍ間隔で切り、厚さ４ｍｍのウレタン発泡体を緩衝層として接着したものである。また、
合板の表面には突き板を接着し、塗装、コーテイングがしてあった。
【００３３】
なお、防音床材３を接着する前に、防音床材３の床見切り材１の台座と接する部分のウ
レタン発泡体製緩衝層を幅４０ｍｍ切除し、防音床材３の合板の先端と床見切り材の嵌合
凹部との間に約５ｍｍの隙間を設けるように施工した。また、立ち面７と防音床材３との
間には隙間を設けることなく、突き合わせるように施工した。
【００３４】
このようにして、台座の両側に防音床材を施工したのち、上記かぶせ部材を台座に押し込
んで床見切り材を完成させた。施工後の床の外観斜視図を図８に示す。なお、床見切り材
部１付近の幅方向断面は、図２に示すような状態になっており、施工後の環境変化によっ
て防音床材が多少伸びたが、これは上記隙間により吸収することができた。また、床見切
り材付近の防音床材を踏んでも床鳴りはしなかった。
【００３５】
（実施例２）
厚さ４ｍｍの木材板に、防音層として特開２００１−４９８４６号公報に記載された厚
さ８ｍｍの防音材を接着し、さらに緩衝層として厚さ４ｍｍのウレタン発泡体を接着し、
木材板表面に突き板を接着し、塗装、コーテイングした防音床材を使用したこと以外は、
実施例１と同様にして施工した。そのため、床見切り材部の床見切り材付近の幅方向断面
は、図３に示すような状態になっており、施工後の環境変化によって防音床材が多少伸び
たが、これは上記隙間により吸収することができた。また、床見切り材付近の防音床材を
踏んでも床鳴りはしなかった。
【００３６】
（比較例１）
床見切り材として幅３５ｍｍ、厚さ１８ｍｍの木製棒状体を使用し、防音床材と接する
部分は隙間を設けなかった点を除いて、実施例１及び２と同様にしてコンクリート下地の
上に施工した。そのため、床見切り材付近の幅方向断面は、図９の状態になっている。ま
た、施工後の環境変化によって防音床材が多少伸びたため、床面に平滑ではない部分がで
きた。さらに、床見切り材付近の防音床材を踏むと、床見切り材の端部と防音床材の合板
の端部とが互いに、摩擦して床鳴りがした。
【００３７】
（比較例２）
床見切り材と接する部分の緩衝層を幅方向に４０ｍｍ除去し、切除した部分にこれと同
型の厚さ３ｍｍの木製板材を接着したことを除いて、比較例１と同様にして施工した。そ
のため、木製板材の施工に手間がかかり、床見切り材付近の幅方向断面は、図１０の状態
になっている。また、施工後の環境変化によって防音床材が多少伸びたため、床面に平滑
ではない部分ができた。ただ、床見切り材付近の防音床材を踏むと床鳴りはしなかった。
【図面の簡単な説明】
【００３８】
【図１】床見切り材の幅方向断面図である。
【図２】床構造の床見切り材付近の幅方向断面図である。
【図３】他の床構造の幅方向断面図である。
【図４】他の床見切り材の幅方向断面図である。
【図５】他のかぶせ部材の幅方向断面図である。
【図６】床見切り材の一実施例を構成する台座の断面図である。
【図７】床見切り材の一実施例を構成するかぶせ部材の断面図である。
【図８】床見切り材と防音床材とを施工したあとの床の外観斜視図である。
【図９】従来からある床見切り材の一例である。
【図１０】従来からある床見切り材の他の一例である。
【符号の説明】
【００３９】
１      床見切り材
２      敷設面
３      防音床材
１１    かぶせ部材
１２    台座
【図１】
2006104800.tif 000003
【図２】
2006104800.tif 000004
【図３】
2006104800.tif 000005
【図４】
2006104800.tif 000006
【図５】
2006104800.tif 000007
【図６】
2006104800.tif 000008
【図７】
2006104800.tif 000009
【図８】
2006104800.tif 000010
【図９】
2006104800.tif 000011
【図１０】
2006104800.tif 000012